(57)【要約】      （修正有）【課題】ゴルフクラブのスイングの練習の効果を高めることが出来るクラブフェース位置確認具を提供する。【解決手段】断面コ字型の板状ばね材料でなる一対の側板部１２ＡＬ、１２ＡＲによってゴルフクラブのグリップ部に隣接するシャフト部２Ａ又はグリップ部に装着された装着部本体１２Ａの連結板部１２ＡＸに対して、板状の発泡樹脂材料でなる表示部本体１１Ａの下端部を固着するようにしたことにより、シャフト部２Ａ又はグリップ部から突出する表示部本体１１Ａの側面１１ＡＬ、１１ＡＲによって、グリップを握るユーザの握り方とゴルフクラブのヘッドフェース面の向きとの関係が、簡便に分るクラブフェース位置確認具１を得ることができる。【選択図】図２
0003158043.tif 000002
【実用新案登録請求の範囲】
【請求項１】
断面コ字状の板状ばね材料でなり、連結板部の両端から折れ曲って、互いに対向しながらゴルフクラブのシャフト部又はグリップ部に両側から圧接するように突出する一対の側板部を有する装着部本体と、
板状の発泡樹脂材料でなり、下端部を上記連結板部に固着されると共に、当該連結板部とほぼ直交する方向に突出することにより側面を上記ゴルフクラブのシャフト部又はグリップ部に対して直交する方向に起立させる表示部本体と
を具え、上記一対の側板部によって上記装着部本体を上記ゴルフクラブのグリップ部に隣接する位置又はグリップ部上の位置に装着することにより、上記表示部本体の側面によって当該グリップを握るユーザの握り方と上記ゴルフクラブのヘッドフェース面の向きとの関係を分り易く表示する
ことを特徴とするクラブフェース位置確認具。
【請求項２】
上記装着部本体の上記一対の側板部の先端部には断面円環状の装着治具係止部が形成され、細い棒状ばね材料をコ字型に折り曲げてなる装着治具の先端を上記装着治具係止部に係止する一対の装着治具を用いて、上記一対の側板部を上記シャフト部又はグリップ部への圧接状態を緩めることにより、上記表示部本体の側面の上記ゴルフクラブのシャフト部又はグリップ部に対する起立方向を調整できる
ことを特徴とする請求項１に記載のクラブフェース位置確認具。
【請求項３】
上記表示部本体は、上記ゴルフクラブのユーザの握り位置に隣接する部分に凹み型外縁形状部を有し、当該凹み型外縁形状部が上記ゴルフクラブのグリップ部上に延長することにより、当該グリップを握るユーザの握り方と上記ゴルフクラブのヘッドフェース面の向きとの関係を見易くした
ことを特徴とする請求項１に記載のクラブフェース位置確認具。
【請求項４】
上記装着部本体の上記連結板部には、上記表示部本体の両側面を挟むように突出する一対の補強板部が溶接され、上記補強板部と上記両側面とを接着剤によって一体に接着した
ことを特徴とする請求項１に記載のクラブフェース位置確認具。
【請求項５】
上記装着部本体の上記連結板部には、上記表示部本体の両側面を挟むように突出する一対の取付板部が溶接され、上記取付板部に係止孔を穿接すると共に、表示部本体の側面に当該係止孔と対応する係止用突起を突設し、上記係止孔に対して上記係止用突起を嵌め合わせることにより、上記表示部本体をワンタッチで上記取付板部に固着する
ことを特徴とする請求項１に記載のクラブフェース位置確認具。
【考案の詳細な説明】
【技術分野】
【０００１】
本考案はクラブフェース位置確認具に関し、特にゴルフクラブのスイングの練習をする際に取扱いを簡便になし得るようにしたものである。
【背景技術】
【０００２】
一般に、ゴルフクラブをスイングするユーザがゴルフボールをインパクトするとき、クラブヘッドがボール位置を通る際のクラブフェースの向きによって、打球されたゴルフボールの飛球軌跡や回転方向が決まるので、ユーザがゴルフクラブの握り方をいろいろに工夫することにより、必要に応じて所望の飛球軌跡を得るためのスイングの練習をしている。
【０００３】
ところが、実際には、ユーザは打つ前に握った自分のグリップ位置に対するクラブフェースの向き（これをクラブフェース位置と呼ぶ）が、打った後のゴルフボールの飛球軌跡や回転方向に適合しているか否かを確認することが難しく、ティーチングコーチがこれを教えるときに用いる練習具が提案されている（特許文献１参照）。
【先行技術文献】
【特許文献】
【０００４】
【特許文献１】米国特許第５，８５１，１５６号公報
【考案の概要】
【考案が解決しようとする課題】
【０００５】
ゴルフクラブのスイングの練習をしようとするとき、ユーザは、コースで使用するゴルフクラブを用いて、あたかもラウンド中に行うスイング動作と同じような状況の中で、スイングの練習をすることができれば、練習時に覚えたゴルフクラブの握り方の感触を、ラウンド中のスイングにおいて再現できると考えられる。
【０００６】
本考案は以上の点を考慮してなされたもので、簡易にクラブフェース位置を確認しながらスイングの練習をすることができるようにした簡便な構成のクラブフェース位置確認具を提案しようとするものである。
【課題を解決するための手段】
【０００７】
かかる課題を解決するため本考案においては、断面コ字状の板状ばね材料でなり、連結板部１２ＡＸの両端から折れ曲って、互いに対向しながらゴルフクラブ２のシャフト部２Ａ又はグリップ部２Ｂに両側から圧接するように突出する一対の側板部１２ＡＬ、１２ＡＲを有する装着部本体１２Ａと、板状の発泡樹脂材料でなり、下端部を連結板部１２ＡＸに固着されると共に、当該連結板部１２ＡＸとほぼ直交する方向に突出することにより側面１１ＡＬ、１１ＡＲをゴルフクラブ２のシャフト部２Ａ又はグリップ部２Ｂに対して直交する方向に起立させる表示部本体１１Ａとを具え、一対の側板部１２ＡＬ、１２ＡＲによって装着部本体１２Ａをゴルフクラブ２のグリップ部２Ｂに隣接する位置又はグリップ部２Ｂ上の位置に装着することにより、表示部本体１１Ａの側面１１ＡＬ、１１ＡＲによって当該グリップ２Ｂを握るユーザの握り方とゴルフクラブ２のヘッドフェース面２ＣＸの向きとの関係を表示するようにする。
【考案の効果】
【０００８】
本考案によれば、断面コ字型の板状ばね材料でなる一対の側板部によってゴルフクラブのグリップ部に隣接するシャフト部又はグリップ部上に装着された装着部本体の連結板部に対して、板状の発泡樹脂材料でなる表示部本体の下端部を固着するようにしたことにより、シャフト部から突出する表示部本体の側面によって、グリップを握るユーザの握り方とゴルフクラブのヘッドフェース面の向きとの関係が簡便に分り、しかもユーザのスイング動作の邪魔にはならない簡便なクラブフェース位置確認具を得ることができる。
【図面の簡単な説明】
【０００９】
【図１】ゴルフクラブのスイング動作の説明に供する略線図である。
【図２】本考案によるクラブフェース位置確認具の第１の実施の形態を示す正面図、側面図及び部品図である。
【図３】第２の実施の形態のクラブフェース位置確認具を示す正面図および側面図である。
【図４】図３のクラブフェース位置確認具の装着状態の説明に供する略線図である。
【図５】本考案の第３の実施の形態によるクラブフェース位置確認具を示す正面図及び側面図である。
【図６】本考案の第４の実施の形態によるクラブフェース位置確認具を示す正面図及び側面図である。
【図７】本考案の第５の実施の形態のクラブフェース位置確認具を示す正面図及び側面図である。
【考案を実施するための形態】
【００１０】
以下図面について、本考案の一実施の形態を詳述する。
【００１１】
（１）第１の実施の形態
図１において、１はクラブフェース位置確認具を示し、ゴルフクラブ２としてドライバを握ったユーザ３がフルスイングの練習をしている状態を示している。
【００１２】
クラブフェース位置確認具１は、ゴルフクラブ２のシャフト部２Ａのグリップ部２Ｂに隣接した位置に着脱自在に装着されている。
【００１３】
かくしてユーザ３がティー４上にティーアップしたゴルフボール５に対してスタンスをとって正対したときのゴルフクラブ２のアドレス位置２Ｘ１から、テイクバック動作位置２Ｘ２を通ってテイクバック終了位置２Ｘ３まで降り上げられる。
【００１４】
続いてユーザ３がゴルフボール５に対する打球動作に入って、ゴルフクラブ２を、テイクバック終了位置２Ｘ３からテイクバック動作位置２Ｘ２を通って、ゴルフボール５に正対したアドレス位置２Ｘ１に戻して、当該正対位置においてゴルフクラブ２のヘッド部２Ｃによってゴルフボール５を打球する。
【００１５】
続いてユーザ３は打球後のフォロースイング動作に入って、ゴルフクラブ２をフォロースイング動作位置２Ｘ４を通ってフォロースイング終了位置２Ｘ５まで降り上げる。
【００１６】
このようなユーザ３の一連のスイングにおいて、ユーザがゴルフクラブ２をテイクバック終了２Ｘ３からゴルフボール５に対して正対するアドレス位置２Ｘ１まで戻って来たとき、ゴルフクラブ２のヘッド部２Ｃのヘッドフェース面２ＣＸがティーアップされたゴルフボール５の位置を通過するインパクトの状態において、ヘッド面２ＣＸの方向がゴルフボール５の飛び出し方向に対して直角である（フェース面２ＣＸの向きが飛び出し方向と一致する、いわゆるスクエアであるとき）、ヒットされたゴルフボール５はユーザ３がスタンスをとったときの正対方向に対して直角方向の飛球軌跡に飛び出す。
【００１７】
これに対してゴルフボール５に対するインパクト時において、ヘッドフェース面２ＣＸがスクエアでなく、ヘッド部２Ｃの移動方向に対して外側、若しくは内側又は上側若しくは下側に向いていれば、ヘッド部２Ｃによってヒットされた打球後のゴルフボール５には、右方向若しくは左方向や、前のめり方向又は打ち上げ方向の回転が過剰に加えられることにより、打球されたゴルフボール５がスクエアにヒットされた場合と比較して、左若しくは右又は上若しくは下に曲がるような飛球軌跡を描くことになる。
【００１８】
このようにしてユーザ３がゴルフクラブ２に対して一連のスイング動作をする際に、ヘッド部２Ｃのヘッドフェース面２ＣＸの向きは、スタンスをとったときの正対位置の向き（その方向はスクエア方向であって、これをフェース面の基準方向と呼ぶ）は、スタンスをとったときの状態からテイクバック動作をした後打球動作を介してフォロースイングをするまでの間において、各ユーザに個有の動きがあり、当該個有の動きにおいてヘッドフェース面２ＣＸの基準方向からのずれを確認しながら練習することが、ユーザ３が所望の飛球軌跡を実現するために必要である。
【００１９】
クラブフェース位置確認具１は当該ユーザ３の一連のスイング動作時において、ユーザ３が自分のスイング動作の間においてヘッドフェース面２ＣＸがどの方向に向いているかを確認できるように、図２に示す構成を有する。
【００２０】
クラブフェース位置確認具１は、ユーザ３がゴルフクラブ２のグリップ部２Ｂを握ったとき、その握った方向を表すグリップ位置表示部１１と、当該グリップ位置表示部１１をゴルフクラブ２のシャフト部２Ａに着脱自在に装着するシャフト装着部１２とによって構成されている。
【００２１】
この実施の形態の場合、グリップ位置表示部１１は、エチレン酢酸ビニルでなる発泡樹脂材料をほぼ正方形の板状に成形してなる表示部本体１１Ａを有し、その左側面１１ＡＬ及び右側面１１ＡＲに対してそれぞれ白色塗料及び赤色塗料が塗布されていることにより、表示部本体１１Ａを見る人が、白色の左側面１１ＡＬが見えるか、又は赤色の側面１１ＡＲが見えるかによって、表示部本体１１Ａの面の傾きを見分けることができるようになされている。
【００２２】
この実施の形態の場合、表示部本体１１Ａの外周面１１Ｄには、左側面１１ＡＬの色（すなわち白色）及び右側面１１ＡＲの色（すなわち赤色）とは明確に見分けられる色（例えば灰色）の塗料が塗布されており、これによりユーザが表示部本体１１Ａを外周面１１Ｄに対して直交する方向から見たとき、外周面１１Ｄの色（すなわち灰色）だけしか見えず、左側面１１ＡＬの色（すなわち白色）も、右側面１１ＡＲの色（すなわち赤色）も見ることができないようになされている。
【００２３】
この結果、ユーザは、表示部本体１１Ａを見たとき、白色又は赤色が見えれば、表示部本体１１Ａの向きが、見えた色の方向に傾いていることを見分けることができる。
【００２４】
左側面１１ＡＬ及び右側面１１ＡＲの中央位置を上下方向に通る側面仮想中心線Ｌ１（図２（Ｂ））上における表示部本体１１Ａの下側縁部１１Ｃには、これと一体にシャフト装着部１２が固着されている。
【００２５】
シャフト装着部１２は、ＳＵＰ３でなる板状のばね材を断面コ字状に折り曲げた構成の装着部本体１２Ａを有し、その左側板部１２ＡＬ及び右側板部１２ＡＲとを連結する連結板部１２ＡＸが表示部本体１１Ａの下側縁部１１Ｃにその厚みを貫通するように一体に埋め込み保持されている。
【００２６】
かくして装着部本体１２Ａは、板状の表示部本体１１Ａの厚み方向の中央位置を通る厚み仮想中心線Ｌ２（図２（Ａ））上において、当該厚み仮想中心線Ｌ２に対して対称に左側板部１２ＡＬ及び右側板部１２ＡＲが互いに対向しながら下方に突出するように、表示部本体１１Ａの下側縁部１１Ｃに固着されている。
【００２７】
このようにして断面コ字状を有する板状ばね材でなる装着部本体１２Ａは、表示部本体１１Ａの厚み仮想中心線Ｌ２上において、表示部本体１１Ａから下方に左側板部１２ＡＬ及び右側板部１２ＡＲを下方に突出させているが、その下端部間の間隔Ｗ１は連結板部１２ＡＸの左右方向幅Ｗ２より弾性力を持ちながら狭くなるように成形されており、これにより左側板部１２ＡＬ及び右側板部１２ＡＲ間にゴルフクラブ２のシャフト部２Ａを挟み込んだとき、左側板部１２ＡＬ及び右側板部１２ＡＲの内側方向へのばね圧縮力によってシャフト部２Ａを左側板部１２ＡＬ及び右側板部１２ＡＲの内面と、表示部本体１１Ａの下端面との間に狭着保持するようになされている。
【００２８】
この実施の形態の場合、左側板部１２ＡＬ及び右側板部１２ＡＲの内面には板状のエチレンポリピレンゴム又はニトリルゴムでなる板状の保持材２２Ｌ及び２２Ｒが接着材によって左側板部１２ＡＬ及び右側板部１２ＡＲに接着保持されており、これにより装着部本体１２Ａがシャフト部２Ａを弾性力を持ちながら狭着した際に、装着部本体１２Ａがシャフト部２Ａの外表面に沿って回転方向に滑るのを防止している。
【００２９】
左側板部１２ＡＬ及び右側板部１２ＡＲの下端部の前及び後端部は、図２（Ａ）及び（Ｂ）に示すように、断面円環状に折り曲げ加工されて、一対の装着治具係止部１２ＡＹＬ及び１２ＡＹＲが形成されており、この装着治具係止具１２ＡＹＬ及び１２ＡＹＲに対して装着治具２３を取り外し自在に係止することにより、装着部本体１２Ａを、シャフト部２Ａに装着させたり、脱着させたり、シャフト部２Ａの回りの装置位置を調整させたりできるようになされている。
【００３０】
装着治具２３は、図２（Ｃ）に示すように、細い棒状のばね材を全体としてＵ字形状に折り曲げた構成を有し、その連結棒部２３Ｘの両端から下方に延長する前側棒部２３Ｆ及び後側棒部２３Ｂの先端部２３ＦＹ及び２３ＢＹをさらに前方又は後方に折り曲げることにより、当該先端部２３ＦＹ及び２３ＢＹをシャフト装着部１２の装着治具係止部１２ＡＹＬ（１２ＡＹＲ）に差し込むことができるようになされている。
【００３１】
かくしてユーザはシャフト部２Ａに対して装着部本体１２Ａを装着し、又は脱着し、又は回動させるときには、装着治具２３の前側棒部２３Ｆ及び後側棒部２３Ｂをそれぞれ内側に絞りながらその先端部２３ＦＹ及び２３ＢＹを装着部本体１２Ａの左側板部１２ＡＬ及び右側板部１２ＡＲの一対の装着治具係止部１２ＡＹＬ及び１２ＡＹＲに差し込むことにより装着治具２３を装着部本体１２Ａの左側板部１２ＡＬ及び右側板部１２ＡＲの下端部に係止させる。
【００３２】
この状態において、ユーザは、装着治具２３の連結棒部２３Ｘを表示部本体１１Ａ側に狭むように押し込み操作をすることにより、左側板部１２ＡＬ及び右側板部１２ＡＲを、当該２本の装着治具２３の前及び後側棒部２３Ｆ及び２３Ｂを連結板部１２ＡＸの両端部を支点として、てこ動作させることにより、左側板部１２ＡＬ及び右側板部１２ＡＲをシャフト部２Ａの直径より外側に開かせる状態を得、この状態において装着部本体１２Ａをシャフト部２Ａに装着し、又は脱着し、又は回転方向にずらせるような操作をすることができるようになされている。
【００３３】
以上の構成において、ユーザ３は、クラブフェース位置確認具１を用いてゴルフクラブ２のスイングの練習をする際には、装着治具２３を用いてシャフト装着部１２の左側板部１２ＡＬ及び右側板部１２ＡＲを開いた状態でその間にゴルフクラブ２のシャフト部２Ａを挟み込むことにより、シャフト装着部１２を、シャフト部２Ａに装着する。
【００３４】
このときユーザは、クラブフェース位置確認具１の表示部本体１１Ａの左側面１１ＡＬ及び右側面１１ＡＲがヘッド部２Ｃのヘッドフェース面２ＣＸと同じ向きになるように（すなわち、表示部本体１１Ａを見たとき、外周面１１Ｄの色である灰色しか見えない状態において、向きがヘッドフェース面２ＣＸと一致しているように見える状態になるように）、シャフト装着部１２をシャフト部２Ａを中心として回動させることにより位置調整をする。
【００３５】
この状態でユーザ３は、ゴルフクラブ２のグリップ部２Ｂを握ってゴルフボール５に対してスタンスをとることによりアドレス位置２Ｘ１にゴルフクラブ２をセットする。
【００３６】
このようにしてゴルフクラブ２のシャフト部２Ａに装着されたクラブフェース位置確認具１は、ユーザがアドレス位置２Ｘ１にゴルフクラブ２を位置合せしたとき、ヘッド部２Ｃのヘッドフェース面２ＣＸはゴルフボール５に対してスクエアの方向（すなわち基準方向）に向いていると共に、クラブフェース位置確認具１の表示部本体１１Ａの向きはヘッドフェース面２ＣＸと一致した向きに向いた状態でゴルフクラブ２のシャフト部２Ａ上に起立している。
【００３７】
この状態において、ユーザは、表示部本体１１Ａを見たとき、表示部本体１１Ａの外周面１１Ｄを見ている状態にあり、左側面１１ＡＬ及び右側面１１ＡＲを見ることができない状態にある。
【００３８】
その後、ユーザがゴルフクラブ２をテイクバック終了位置２Ｘ３までテイクバック動作をして行くと、ヘッド部２Ｃのヘッドフェース面２ＣＸはユーザのテイクバック動作に応じて回転して行くが、このときクラブフェース位置確認具１の表示部本体１１Ａも、ユーザ３の握った手の向きに変化に応じて回転して行く。
【００３９】
ユーザがテイクバック終了２Ｘ３から打球動作に入って、ゴルフクラブ２が正対位置２Ｘ１に戻った後フォロースイング終了位置２Ｘ５まで移動して行ったときも、クラブフェース位置確認具１のグリップ位置表示部１１の左側面１１ＡＬ及び右側面１１ＡＲはユーザ３の握った手の回転方向の変化、従ってヘッドフェース面２ＢＸの向きの変化に応じて回転して行く。
【００４０】
このように、クラブフェース位置確認具１の表示部本体１１Ａの左側面１１ＡＬ及び右側面１１ＡＲはゴルフクラブ２のヘッドフェース面２ＣＸが向いている向きと一致しているから、ユーザ３はクラブフェース位置確認具１の左側面１１１ＡＬ又は右側面１１ＡＲの向きを意識しながらスイングの練習をすれば、ヘッドフェース面２ＣＸをゴルフボール５に対してスクエアにインパクトさせるための練習を簡便に行うことができる。
【００４１】
従って、ユーザ３がゴルフボール５に対するインパクト時のヘッドフェース面２ＣＸがスクエアになるようなスイングができていないとき、例えばティーチングコーチはクラブフェース位置確認具１の表示部本体１１Ａの左側面１１ＡＬ及び右側面１１ＡＲの変化の仕方をチェックすることにより、例えばテイクバック終了位置２Ｘ５、右腰横位置２Ｘ２、左腰横位置２Ｘ４におけるヘッドフェース面２ＣＸの角度が適切でない場合に、ユーザ３に対してスイング軌道の修正アドバイスを的確に指摘することもできる。
【００４２】
以上の構成によれば、ユーザ３自身やティーチングコーチがクラブフェース位置確認具１の表示部本体１１Ａの側面の向きによってインパクト時のゴルフクラブ２のヘッドフェース面２ＣＸの向きを簡便に知ることができることにより、ユーザはヘッドフェース面２ＣＸがゴルフボール５にインパクトさせる際のスイングの練習を一段と的確に行うことができる。
【００４３】
従って、インパクト時のヘッドフェース面２ＣＸをスクエア以外の向き、例えば開いたり閉じたりするような練習をしたい場合には、スタンスをとったときの正対位置における表示部本体１１Ａの向きを変更するようにグリップの仕方を変えることにより、クラブフェース位置確認具１の表示部本体１１Ａの向きを見ながら調整することができる。
【００４４】
これにより、ゴルフボール５の飛球軌跡やボールの回転などに変化を与えるような練習を、本来ラウンド時に使用するゴルフクラブを用いて、これにクラブフェース位置確認具１を装着するだけの簡便な操作によって簡便に行うこともできる。
【００４５】
練習時にユーザは以下のことに注意すれば有効である。
【００４６】
アドレス位置２Ｘ１にゴルフクラブ２を構えたときにおけるゴルフクラブ２の方向の目安にするものとして、グリップ部２Ｂの先端に通常付されている（製品化時に付けられる）目印に、クラブフェース位置確認具１の外周面１１Ｄを重ね合せるようにクラブフェース位置確認具１をシャフト部２Ａに装着する。
【００４７】
これにより、クラブフェース確認具１の左側面１１ＡＬの向きによってヘッドフェース面２ＣＸが正しい向きであることの確認が容易になる。
【００４８】
このとき、ゴルフスイングを行う本人からは外周面１１Ｄのみが見えていることが好ましく、左側面１１ＡＬや右側面１１ＡＲが見えている場合には、ゴルフクラブ２のヘッドフェース面２ＣＸは誤った方向に向いていることになる。
【００４９】
手が右腰横にありゴルフクラブが地面と平行になったときは、左側面１１ＡＬが正面を向き、本人からは外周面１１Ｄが見えていることが好ましい。
【００５０】
手が左腰横にありゴルフクラブが地面と平行になったときは、右側面１１ＡＲが正面を向き、本人からは外周面１１Ｄが見えていることが好ましい。
【００５１】
このような使い方をすれば、クラブフェース位置確認具１は、ゴルフボール５に対するインパクトの前後のヘッドフェース面２ＣＸの動きをユーザ自身がチェックすることにより、例えばスライスやフックの癖を矯正するためのハーフスイング練習時に、ヘッドフェース面２ＣＸの一連の動きをユーザ自身が意識できるので、矯正効果に特に実効が生ずる。
【００５２】
（２）第２の実施の形態
図３は第２の実施の形態を示すもので、図２との対応部分に同一符号を付して示すように、この実施の形態のクラブフェース位置確認具１は、図２の場合は、グリップ位置表示部１１の表示部本体１１Ａの形状がほぼ正方形であったのに対して、この実施の形態の場合のグリップ位置表示部１１の表示部本体１１Ａの形状は、側面仮想中心線Ｌ１近傍の外縁形状部２４Ａが扇状になっていると共にシャフト装着部１２から見て、グリップ部２Ｂ側の外縁形状部２４Ｂの形状が凹みをもつように切り欠かれた形状を有する。
【００５３】
以上の構成において、例えばゴルフクラブ２がテイクバック動作位置２Ｘ２にある状態について図４に示すように、クラブフェース位置確認具１は、ゴルフクラブ２のグリップ部２Ｂの先端側に、グリップ位置表示部１１の表示部本体１１Ａの後端部が、極く、近接する位置に、シャフト装着部１２が装着される。
【００５４】
この状態において、クラブフェース位置確認具１のグリップ位置表示部１１の後端側の外縁形状部２４Ｂがグリップ部２Ｂの上方空間に重なるように突出して延長することにより、当該クラブフェース位置確認具１をユーザ３が見たとき、ユーザがグリップ部２Ｂを握っている手の位置と、表示部本体１１Ａの左側面１１ＡＬ及び右側面１１ＡＲの面の向きとの位置関係を明確に確認できる。
【００５５】
かくしてユーザは、クラブフェーフ位置確認具１の向きとグリップ部２Ｂを握っている手の向きとの位置関係を一段と明確に確認することができる。
【００５６】
以上の構成によれば、クラブフェース位置確認具１の向きと、ヘッドフェース面２ＣＸとの向きとを、一段と容易に一致させるように調整できるようなクラブフェース位置確認具１を得ることができる。
【００５７】
（３）第３の実施の形態
図５は第３の実施の形態を示すもので、図３との対応部分に同一符号を付して示すように、この実施の形態のクラブフェース位置確認具１の場合は、図５（Ｂ）に示すように、図３の場合と比較して、扇形外縁形状部２４Ａの先端側の部分が切り落とされてすぐにシャフト装着部１２の連結板部１２ＡＸ近傍にまで落ち込むような切込み形成部２４ＡＸが形成されている。
【００５８】
かくして図５の場合の表示部本体１１Ａは、シャフト装着部１２と対向する部分の前方部分が一段と、コンパクトに、短くなるように、成形されている。
【００５９】
図５の場合、当該コンパクトになった表示部本体１１Ａの下端部は、シャフト装着部１２の連結板部２４ＡＸ上に突き当たって接着剤によって当該連結板部２４ＡＸ上に接着される。
【００６０】
かくして図５の構成によれば、ゴルフクラブ２のシャフト部分２Ａのヘッド部２Ｃ方向（図５（Ｂ）の左方向）への形状部分が切込み形状部２４ＡＸとして切り取られていることにより、図３の場合と比較して、一段とコンパクトな構成のクラブフェース位置確認具１を得ることができる。
【００６１】
もちろんこの場合も、図３の場合と同様に、ゴルフクラブ２のグリップ部２Ｂ側（図５（Ｂ）の右方向）に凹み型外縁形状部２４Ｂが形成されていることにより、ユーザ３が当該グリップ部２Ｂを握ったときの手の位置との関係を明確に確認できることにより、ヘッドフェース面２ＣＸと表示部本体１１Ａの側面との位置合せを容易にできるようなクラブフェース位置確認具１を実現できる。
【００６２】
（４）第４の実施の形態
図６は第４の実施の形態を示すもので、図３との対応部分に同一符号を付して示すように、この実施の形態の場合のクラブフェース位置確認具１は、図３の場合と比較して、シャフト装着部１２の装着部本体１２Ａに対して、その連結板部１２ＡＸの表面に、表示部本体１１Ａの下端縁部を挟み込むように、一対の補強板部３１Ｌ及び３１Ｒが、溶接により、一体となるように設けられている点において相違する。
【００６３】
この補強板部３１Ｌ及び３１Ｒは、ＳＰＣＣ材料でなり、図６（Ｂ）に示すように、装着部本体１２Ａの連結板部１２ＡＸの前後幅より少し大きい前後幅を有し、その下端面が連結板部１２ＡＸと突き当たって溶接されている。
【００６４】
これに加えて、補強板部３１Ｌ及び３１Ｒの内面が表示部本体１１Ａの左側面１１ＡＬ及び右側面１１ＡＲに対接して接着剤によって接着されている。
【００６５】
図６の構成によれば、図３について上述したと同様に、表示部１１Ａの側面とヘッドフェース面２ＣＸとの位置合せを、凹み形外縁形状部２４Ｂによって簡便に実現できることに加えて、補強板部３１Ｌ及び３１Ｒによって当該表示部本体１１Ａを一段と強固にシャフト装着部１２に固着してなるクラブフェース位置確認具１を得ることができる。
【００６６】
（５）第５の実施の形態
図７は第５の実施の形態を示すもので、図２との対応部分に同一符号を付して示すように、図２の構成に加えてシャフト装着部１２の装着部本体１２Ａにおいて、その連結板部１２ＡＸ上に表示部本体１１Ａを両面から挟み込むように、一対の補強板部３３Ｌ及び３３Ｒを設けた構成を有する。
【００６７】
この場合の補強板部３３Ｌ及び３３Ｒは、側面仮想中心線Ｌ１を中心とする円弧状外縁形状部３４Ｌ及び３４Ｒを有し、その下面が装着部本体１２Ａの連結板部１２ＡＸ上に溶接されている。
【００６８】
補強板部３３Ｌ及び３３Ｒの中央部には長方形状の係止孔３５Ｌ及び３５Ｒが穿設されている。
【００６９】
当該係止孔３５Ｌ及び３５Ｒに対応する左側面１１ＡＬ及び右側面１１ＡＲ上の位置には、同じ大きさ及び同じ形状を有する長方形状の係止用突起３６Ｌ及び３６Ｒが設けられ、この係止用突起３６Ｌ及び３６Ｒが係止孔３５Ｌ及び３５Ｒに嵌合することにより、表示部本体１１Ａが補強板部３３Ｌ及び３３Ｒ間に一体に固着される。
【００７０】
係止用突起３６Ｌ及び３６Ｒの上端には、外方に突出する段部３７Ｌ及び３７Ｒが形成されており、この段部３７Ｌ及び３７Ｒの上方突出端から下端に至るまでの間に、左側面１１ＡＬ及び右側面１１ＡＲの面と一致するに至るような傾斜面が形成されている。
【００７１】
かくして表示部本体１１Ａを取付板部３３Ｌ及び３３Ｒに取付ける際に、図７（Ｃ）に示すように、表示部本体１１Ａを取付板部３３Ｌ及び３３Ｒ間に上方から差し込んだ状態において表示部本体１１Ａを下方に押し込むことにより、係止用突起３６Ｌ及び３６Ｒがその傾斜面に沿って係止孔３５Ｌ及び３５Ｒに丁度嵌合するような位置まで滑りながら下方に移動して行き、やがてその上端の段部３７Ｌ及び３７Ｒが係止孔３５Ｌ及び３５Ｒに嵌合することにより、表示部本体１１Ａが取付板部３３Ｌ及び３３Ｒ間に一回の操作で嵌め合せて固着することができるようになされている。
【００７２】
図７の構成によれば、組み立て作業が一段と簡略なクラブフェース位置確認具１を得ることができる。
【００７３】
（６）他の実施の形態
（６−１）  上述の実施の形態においては、表示部本体１１Ａとして、１枚の板状の発泡樹脂材料の左側面１１ＡＬ及び右側面１１ＡＲを塗料によって着色した場合について述べたが、これに代えて、着色した２枚の板状の発泡樹脂材料を貼り合せたり、１枚の板状の発泡樹脂材料でなる２色の領域を有するように構成したり、着色したシート状ポリスチレン樹脂材を接着材によって左側面１１ＡＬ及び右側面１１ＡＲに接着したりしても良い。
【００７４】
（６−２）  上述の実施の形態においては、表示部本体１１Ａの端面を、左側面１１ＡＬ及び右側面１１ＡＲとは異なる１色の塗料を塗布するようにしたが、当該塗料の塗布をしないようにしたり、着色したシート状ポリスチレン樹脂材を表面に接着材によって接着するようにしても良い。
【００７５】
（６−３）  上述の実施の形態においては、本考案を適用するゴルフクラブ２としてドライバを用いた場合について述べたが、本考案はこれに限らず、その他のウッドや、アイアンや、サンドウェッジなどのショートアイアンにも適用できる。
【００７６】
特に、サンドウェッジの場合は、フェース面が極端に開いているので、初心者にとって、グリップ部への握り位置のヘッドフェース面との関係が分り難いにもかかわらず、グリップ部近くに本考案によるクラブフェース位置確認具１を装着することにより、ヘッドフェース面の開きを気にせずに、分り易く、スイングの練習を行い得ることにより、一段と効果的なサンドウェッジの練習を行うことができる。
【００７７】
（６−４）  上述の実施の形態においては、クラブフェース位置確認具１を、ゴルフクラブ２のグリップ部２Ｂに隣接するシャフト部２Ａに装着するようにしたが、クラブフェース位置確認具１の装着位置としてはこれに限らず、グリップ部２Ｂ上のユーザの握り位置に隣接する部分に装着しても良い。
【００７８】
（６−５）  上述の実施の形態においては、表示部本体１１Ａとして、エチレン酢酸ビニルでなる発泡樹脂材料を用いた場合について述べたが、これに代え、発泡スチロール、発泡ウレタン、ＰＰ材（ポリプロピレン）、ＡＢＳ材（アクリロニトリルブタジェンスチレン）、ＰＥＴ材（ポリエチレンテレフタレート）、エラストマー材を用いるようにしても良い。
【産業上の利用可能性】
【００７９】
本考案はゴルフクラブのスイングの練習に利用できる。
【符号の説明】
【００８０】
１……クラブフェース位置確認具、２……ゴルフクラブ、２Ａ……シャフト部、２Ｂ……グリップ部、２Ｃ……ヘッド部、２ＣＸ……ヘッドフェース面、３……ユーザ、４……ティー、５……ゴルフボール、２Ｘ１〜２Ｘ５……スイング動作位置、１１……グリップ位置表示部、１１Ａ……表示部本体、１１ＡＬ、１１ＡＲ……左、右側面、１１Ｂ……グリップ部、１１Ｃ……下側縁部、１２……シャフト装着部、１２Ａ……装着部本体、１２ＡＬ、１２ＡＲ……左、右側板部、１２ＡＹＬ、１２ＡＹＲ……装着治具係止部、１２ＡＸ……連結板部、２３……装着治具、２３Ｆ、２３Ｂ……前、後側棒部、２３ＦＹ、２３ＢＹ……下端部、２４Ａ……扇形外縁形状部、２４Ｂ……凹型外縁形状部、２４ＡＸ……切込み形状部、３１Ｌ、３１Ｒ……補強板部、３３Ｌ、３３Ｒ……取付板部、３５Ｌ、３５Ｒ……係止孔、３６Ｌ、３６Ｒ……係止用突起。
【図１】
0003158043.tif 000003
【図２】
0003158043.tif 000004
【図３】
0003158043.tif 000005
【図４】
0003158043.tif 000006
【図５】
0003158043.tif 000007
【図６】
0003158043.tif 000008
【図７】
0003158043.tif 000009